(57)【要約】【課題】ホースをホルダーから引き出して使用することのできる混合水栓において、ホースがカウンターの下部で垂れ下がらないようにし、かつホースの引き出し長さを確保する。【解決手段】混合水栓Ａはカウンター２に固定されホルダー１９が装着された水栓本体１と、該水栓本体１と接続し湯水が供給される通水管１２と、前記ホルダー１９の先端に着脱自在に支持されるシャワーヘッド２０と、該シャワーヘッド２０の基端に接続され、ホルダー１９の内部に引き出し自在に収納されるホース２１とを備え、前記通水管１２は水栓本体１の下部に向けて配設され、前記ホース２１を通水管１２内に摺動自在に収納した。【選択図】  図２
2004225524.tif 000002
【特許請求の範囲】
【請求項１】
カウンターに固定されホルダーが装着された水栓本体と、該水栓本体と接続し湯水が供給される通水管と、前記ホルダーの先端に着脱自在に支持されるシャワーヘッドと、該シャワーヘッドの基端に接続され、ホルダーの内部に引き出し自在に収納されるホースとを備え、前記通水管は水栓本体の下部に向けて配設され、前記ホースを通水管内に摺動自在に収納したことを特徴とする混合水栓。
【請求項２】
カウンターに固定され湯水が供給されるホルダーが装着された水栓本体と、前記ホルダーに収納される通水管と、該通水管の先端に着脱自在に支持されるシャワーヘッドと、該シャワーヘッドの基端に接続され、通水管の内部に引き出し自在に収納されるホースとを備え、前記通水管をホルダーに摺動自在に収納し、前記ホースを通水管内に摺動自在に収納したことを特徴とする混合水栓。
【請求項３】
湯水が供給されるホルダーが装着された水栓本体と、前記ホルダーに収納される通水管と、前記ホルダーの先端に支持され、内部にスライド管を収容したシャワーヘッドと、前記通水管及びスライド管の内部に引き出し自在に収納されるホースとを備え、該ホースを通水管及びスライド管の内部に摺動自在に収納したことを特徴とする混合水栓。
【請求項４】
前記シャワーヘッドはスライド管を摺動自在で、該スライド管にホースを摺動自在としたことを特徴とする請求項３記載の混合水栓。
【請求項５】
カウンターに固定される水栓本体とシャワー部とからなり、該シャワー部はカウンターに固定される基台と、該基台に挿通される通水管と、基台の上部に装着されるホルダーと、該ホルダーの先端に着脱自在に支持されるシャワーヘッドと、該シャワーヘッドの基端に接続され、ホルダーの内部に引き出し自在に収納されるホースとを備え、前記通水管はカウンターの下部で連結管を介して水栓本体と接続され、前記ホースを通水管内に摺動自在に収納したことを特徴とする混合水栓。
【請求項６】
前記通水管は基台に上下スライド自在に挿通されることを特徴とする請求項５記載の混合水栓。
【請求項７】
前記ホースに摺動部材を結合し、該摺動部材が通水管内を水密的に摺動することを特徴とする請求項１乃至６の何れかに記載の混合水栓。
【発明の詳細な説明】
【０００１】
【発明の属する技術分野】
本発明は流し台又は洗面台等で使用され、シャワーヘッドをホースと共にホルダーから引き出して使用する混合水栓に関する。
【０００２】
【従来の技術】
従来、流し台又は洗面台等で使用される混合水栓において、ホルダ−に支持されたシャワーヘッドをホースと共に引き出して、広い範囲での吐水を可能としたものが公知である。このような混合水栓の場合、ホースはホルダーの内部に収納されるが、混合水栓が固定されるカウンターの下部で略Ｕ字状に湾曲して垂れ下がっており、ホースをホルダーから引き出すたびに、カウンターの下部でキャビネット内部に取り付けられている湯，水の配管又は止水栓等に当たり、異音が発生する。また、ホースをホルダーから引き出して湯水を吐水するとホースに水が付着し、この水がホースを伝ってキャビネットの内部で落下したり、又はホルダーの開口部から水が浸入して、この水がキャビネット内部で落下し、キャビネット内部を水浸しにするため、水受けタンクを収容していたが、水受けタンクによりキャビネット内部の収納空間が狭くなってしまい、他の物品を置くことができなくなるという問題があった。
【０００３】
そこで、カウンターの下部にホースが垂れ下がらないようにした混合水栓が公知である。この混合水栓は、ホルダーの内部に通水管が摺動自在に収容され、シャワーヘッドを引き出すとホースは通水管の内部を摺動するため、カウンターの下部にホースが垂れ下がることがなく、しかもシャワーヘッドはホースと共にホルダーから引き出して使用できるものである（例えば特許文献１参照。）。
【０００４】
【特許文献１】
特開２００２−８１１０７号公報
【０００５】
【発明が解決しようとする課題】
ところが、上記のものにあっては、ホースをホルダーから引き出せる長さはホルダーの長さの範囲に制限されてしまい、極めて短い範囲内でのみ引き出せるものであり、作業性が犠牲になるものであった。
【０００６】
この発明は、このような従来の技術に存在する問題点に着目したものであり、その目的は、ホースをホルダーから引き出して使用することのできる混合水栓において、ホースがカウンターの下部で垂れ下がらないようにすることと、ホースの引き出し長さを確保することである。
【０００７】
【課題を解決するための手段】
本発明は請求項１では、混合水栓はカウンターに固定されホルダーが装着された水栓本体と、該水栓本体と接続し湯水が供給される通水管と、前記ホルダーの先端に着脱自在に支持されるシャワーヘッドと、該シャワーヘッドの基端に接続され、ホルダーの内部に引き出し自在に収納されるホースとを備え、前記通水管は水栓本体の下部に向けて配設され、前記ホースを通水管内に摺動自在に収納したものである。
【０００８】
請求項２では、混合水栓はカウンターに固定され湯水が供給されるホルダーが装着された水栓本体と、前記ホルダーに収納される通水管と、該通水管の先端に着脱自在に支持されるシャワーヘッドと、該シャワーヘッドの基端に接続され、通水管の内部に引き出し自在に収納されるホースとを備え、前記通水管をホルダーに摺動自在に収納し、前記ホースを通水管内に摺動自在に収納したものである。
【０００９】
請求項３では、混合水栓は湯水が供給されるホルダーが装着された水栓本体と、前記ホルダーに収納される通水管と、前記ホルダーの先端に支持され、内部にスライド管を収容したシャワーヘッドと、前記通水管及びスライド管の内部に引き出し自在に収納されるホースとを備え、該ホースを通水管及びスライド管の内部に摺動自在に収納したものである。
【００１０】
請求項４では、前記シャワーヘッドはスライド管を摺動自在で、該スライド管にホースを摺動自在としたものである。
【００１１】
請求項５では、混合水栓はカウンターに固定される水栓本体とシャワー部とからなり、該シャワー部はカウンターに固定される基台と、該基台に挿通される通水管と、基台の上部に装着されるホルダーと、該ホルダーの先端に着脱自在に支持されるシャワーヘッドと、該シャワーヘッドの基端に接続され、ホルダーの内部に引き出し自在に収納されるホースとを備え、前記通水管はカウンターの下部で連結管を介して水栓本体と接続され、前記ホースを通水管内に摺動自在に収納したものである。
【００１２】
請求項６では、前記通水管は基台に上下スライド自在に挿通されるものである。
【００１３】
請求項７では、前記ホースに摺動部材を結合し、該摺動部材が通水管内を水密的に摺動するものである。
【００１４】
【発明の実施の形態】
（第１実施形態）
以下に、本発明の第１実施形態を図１乃至図３に基づいて詳細に説明する。
【００１５】
図１及び図２に示すように、混合水栓Ａは縦長の円筒状に形成された水栓本体１が、流し台や洗面台等のカウンター２に起立した状態で固定されるものである。水栓本体１の内部には、セラミックス製で略円盤型の固定板５と、該固定板５と同一素材の可動板６とを水密に重ね合わせた混合弁４が装着されており、水栓本体１の下部には給湯管８と給水管９とが接続され、カウンター２の下部でキャビネット７の内部に取り付けられた湯用止水栓１０，水用止水栓１１と前記混合弁４とは、給湯管８と給水管９とにより接続され、湯，水は混合弁４に供給される。該混合弁４の下部には、混合弁４により温度及び流量が調節された湯水が供給される通水管１２が接続され、この混合弁４と上部で連繋したレバー１４を上下又は左右に操作することで、前記固定板５と可動板６との弁開閉の対応関係を変化させることによって、通水管１２に供給される湯水の流量及び温度の調節が可能である。
【００１６】
前記通水管１２は内部に湯水が通過する流路１３が形成され、カウンター２に穿設された取付孔３に挿通し、座金１５をカウンター２の下部に当て、座金１５の下部からナット１６を通水管１２の外周面に螺着することにより、混合水栓Ａはカウンター２に起立した状態で固定されるようになっている。
【００１７】
前記通水管１２は水栓本体１の下部で略Ｕ字状に屈曲するように配設され、内部には湯水が通過する流路１３が形成されている。該流路１３の出口側内周面には、流路１３を小径とする上側鍔部１７が形成され、屈曲部の内周面には同じく流路１３を小径とする下側鍔部１８が形成されている。この通水管１２は水栓本体１の下部に配設されるため、カウンター２の下部でキャビネット７の底面に当たらない範囲の長さで形成することができ、後述するホース２１が摺動してホルダー１９から引き出して使用するのに十分な長さとすることができる。なお、通水管は一体に形成しても、複数の通水管を結合させて一体としても、どちらでもよい。
【００１８】
前記水栓本体１の外周面で混合弁４の下部には、中空状のホルダー１９が上傾して回転自在に装着され、該ホルダー１９の先端にはシャワーヘッド２０が着脱自在に支持される。シャワーヘッド２０の基端にはホース２１が接続され、該ホース２１はホルダー１９の内部に引き出し自在に収納され、その一部が前記通水管１２の流路１３に摺動自在に収納される。
【００１９】
前記ホース２１はその基端に該ホース２１より大径に形成された摺動部材２２が結合されている。該摺動部材２２の外周面には環状溝２３が形成され、該環状溝２３には通水管１２の内周面に水密的に密着するシール部材２４が装着されている。
【００２０】
上記のように構成された混合水栓Ａは、レバー１４を吐水方向へ操作すると、混合弁４で温度及び流量が調節された湯水が、送水管１２及びホース２１を通過して、ホルダー１９に支持されたシャワーヘッド２０から吐水される。
【００２１】
そして、図２に示すようにシャワーヘッド２０がホルダー１９に支持された状態では、ホース２１の基端に結合された摺動部材２２は、通水管１２の内部で下側鍔部１８に当接している。次に、シャワーヘッド２０をホルダー１９から引き出すと、ホース２１は通水管１２の内部を水密的に摺動しながら上昇し、図３に示すよう摺動部材２２が上側鍔部１７に当接したところで停止し、ホース２１の摺動部材２２が下側鍔部１８と上側鍔部１７との間を移動する範囲で、シャワーヘッド２０をホルダー１９から引き出すことができる。なお、シャワーヘッド２０をホルダー１９から引き出した際に、ホース２１に水が付着し、該ホース２１を伝ってホルダー１９の内部に水が浸入する場合があるが、この水は水栓本体１の下部に形成された水抜孔２５から、カウンター２の上面に排水させることができる。
【００２２】
本実施形態の混合水栓は、ホースはホルダーの内部から通水管の内部に摺動自在に収納されているため、カウンターの下部で垂れ下がることがない。また、シャワーヘッドをホルダーから引き出すと、ホースは通水管の内部を上下に摺動する。従って、シャワーヘッドをホルダーから引き出したり収納する際に、ホースがキャビネットの内部で揺れることがなく、また、ホースが揺れ、給湯管，給水管又は止水栓に当たり、異音が発生することがない。そして、通水管は水栓本体の下部に配設されるので、キャビネットの底面に当たらない範囲の長さで形成され、ホースをホルダーから十分な長さで引き出して使用することができる。
【００２３】
（第２実施形態）
図４乃至図７は本発明の第２実施形態である。この実施例の混合水栓ではホースはホルダーの内部のみに収容される。
【００２４】
図４及び図５に示すように、この実施形態では、混合水栓Ｂは水栓本体１ａの外周面に回転自在に装着されたホルダー１９ａに通水管１２ａが摺動自在に収納され、該通水管１２ａの内部にホース２１ａが摺動自在に収納されている。
【００２５】
前記ホルダー１９ａは水栓本体１ａの外周面に対して上傾して回転自在に装着され、内部には混合弁４で調節された湯水が通過する流路１９ｄが形成されている。また、ホルダー１９ａの先端内周面には、流路１９ｄを小径とする上側鍔部１７ａが形成されている。前記通水管１２ａはホルダー１９ａの内部を上部傾斜方向に摺動するものであり、先端に結合された円筒部材２６には、シャワーヘッド２０ａが着脱自在に支持される。さらに、通水管１２ａの先端内周側には、ホース２１ａに付着した水を払い落とすことのできる水切部材２７が、ビス２８により固定されている。そしてシャワーヘッド２０ａの基端にはホース２１ａが接続され、該ホース２１ａの他端は通水管１２ａの内部に収納される。
【００２６】
前記ホース２１ａはその基端に該ホース２１ａより大径に形成された摺動部材２２ａが結合されている。該摺動部材２２ａの外周面には環状溝２３ａが形成され、該環状溝２３ａには通水管１２ａの内周面に水密的に密着するシール部材２４ａが装着されている。なお、その他の構成は前記実施例と同一であり、同一の物品には同一の符号を付し、詳細な説明を省略する。
【００２７】
したがって、図４に示すようにシャワーヘッド２０ａが通水管１２ａに支持され、該通水管１２ａがホルダー１９ａに支持された状態では、ホース２１ａ基端の摺動部材２２ａは、通水管１２ａの内部で奥まで収納されている。そして、図６に示すように通水管１２ａを握ってホルダー１９ａから引き出すと、通水管１２ａに支持されたシャワーヘッド２０ａの位置を、水栓本体１ａから前方の上部傾斜方向へ移動させることができる。
【００２８】
次にシャワーヘッド２０ａを通水管１２ａから引き出すと、ホース２１ａは通水管１２ａの内周面に沿って水密的に摺動しながら引き出され、図７に示すよう摺動部材２２ａが水切部材２７に当接したところで停止し、ホース２１ａの摺動部材２２ａが水切部材２７に当接するまでの範囲で、シャワーヘッド２０ａを通水管１２ａから引き出すことができる。なお、シャワーヘッド２０ａは図５に示す状態から引き出してもよい。このように本実施例では、水切部材はホースに付着した水がホルダーの内部に浸入するのを防止するだけでなく、ホースを引き出した際に通水管から抜けるのを防止するストッパーを兼ねている。
【００２９】
本実施形態の混合水栓によると、前記実施形態と同様に、ホースはカウンターの下部で垂れ下がることがなく、ホルダーの内部に摺動自在に収納されている。そして、通水管をホルダーに摺動自在に収納し、ホースを通水管内に摺動自在に収納している。従って、シャワーヘッドをホルダーから引き出したり収納する際に、ホースがキャビネットの内部で揺れることがなく、また、ホースが揺れ、給湯管，給水管又は止水栓に当たり、異音が発生することがない。そして、ホルダーには通水管とホースとが二重構造で収納されているので、ホースをホルダーの長さに制限されることなく十分な長さで引き出して使用することができる。
【００３０】
（第３実施形態）
次にこの発明の第３実施形態を図８乃至図１４に基づいて説明する。
先の第２実施形態では、シャワーヘッドの位置を水栓本体から前方の上部傾斜方向へ引き出すには、通水管を握ってホルダーから引き出すが、さらにシャワーヘッドを引き出すには、シャワーヘッドを握って通水管から引き出す。このように、シャワーヘッドを引き出すには最初は通水管を握り、次にシャワーヘッドを握る必要があり、操作に戸惑うものであった。本発明の第３実施形態の混合水栓では、ホースがカウンターの下部で垂れ下がらないようにすることと、ホースの引き出し長さを確保するうえ、さらにシャワーヘッドの引き出し時における操作性の向上を図るものである。なお、先の実施例と同一構成には同一番号を付し、詳細な説明を省略する。
【００３１】
図８に示すように、混合水栓Ｃは水栓本体１ｂの外周面にホルダー１９ｂが回転自在に装着されている。該ホルダー１９ｂは水栓本体１ｂの外周面に対して上傾して回転自在に装着され、内部には混合弁４で調節された湯水が通過する流路１９ｅが形成されている。また、ホルダー１９ｂの内部には通水管１２ｂが収納され、該通水管１２ｂはホース２１ｂを介してシャワーヘッド２０ｂと連通している。さらに、ホルダー１９ｂの先端外周面には、シャワーヘッド２０ｂを着脱自在に支持するための円筒部材２９が装着されている。
【００３２】
前記通水管１２ｂは金属材又は合成樹脂材により形成され、図１２に示すように、ホルダー１９ｂの内径と同径の略円筒形で、一端には係止部材１２ｄが螺合され、該係止部材１２ｄは内周側及び外周側に向かって鍔部１２ｅが形成されている。また、通水管１２ｂの他端には環状のフランジ部１２ｆが内周側に向かって形成されている。
【００３３】
前記円筒部材２９は金属材又は合成樹脂材により形成された略筒形で、ホルダー１９ｂの先端に設けられている。該円筒部材２９の周面の一部にはねじ孔３０が穿設されており、該ねじ孔３０にビス３１を螺合することにより、ホルダー１９ｂに対し通水管１２ｂ及び円筒部材２９を結合している。また、円筒部材２９の開口部３２内周には、シャワーヘッド２０ｂの引き出しを制御するための後述する拘束部材４５が装着されており、ねじ孔３０と隣接して操作孔３０ａが穿設され、該操作孔３０ａから拘束部材４５の一部が外部へ突出している。
【００３４】
前記シャワーヘッド２０ｂはホルダー１９ｂの先端に着脱自在に支持され、図１３に示すように、その内部には支持部材３７，スライド管３９及びホース２１ｂが順に収容されている。また、シャワーヘッド２０ｂの基端には、シャワーヘッド２０ｂをホルダー１９ｂの先端に支持するための保持筒３４が螺着されている。
【００３５】
前記ホース２１ｂは、図１２及び図１３に示すように、通水管１２ｂ及びスライド管３９より小径で、その両端にホース２１ｂより大径に形成された摺動部材２２ｂが結合されている。該摺動部材２２ｂの外周面には環状溝２３ｂが形成され、該環状溝２３ｂには通水管１２ｂ及びスライド管３９の内周面に水密的に密着するシール部材２４ｂが装着されている。
【００３６】
前記支持部材３７は金属材又は合成樹脂材により形成され、シャワーヘッド２０ｂの内周面を挿通する円筒形で、シャワーヘッド２０ｂの内周面に螺着されている。支持部材３７の一端には、スライド管３９の外径と略同径の第１係止部材３８が螺合されている。
【００３７】
前記スライド管３９は金属材又は合成樹脂材により形成され、前記支持部材３７より小径の略円筒形である。スライド管３９の一端には、ホース２１ｂの外径と略同径の第２係止部材４０が螺合されており、他端の外周面には前記支持部材３７の内周面に当接する鍔部４１が形成されており、該鍔部４１には環状溝４２が形成され、該環状溝４２にはＯリング等のシール部材４３が装着されている。また、スライド管３９の他端には、環状のフランジ部４４が内周側に突出して形成されている。
【００３８】
前記保持筒３４は金属材及び合成樹脂材により形成された略円筒形で、シャワーヘッド２０ｂの基端に螺合されている。図１４に示すように、保持筒３４は円周上の一部を切り欠いて係止片３５が形成されており、該係止片３５の先端には、内周側に向けて突出した係止突起３６が形成されている。この係止片３５は、外力が作用すると内周方向に撓むものである。
【００３９】
前記拘束部材４５は、図１２に示すように、板ばね４６と操作ボタン４９とを備え、板ばね４６は弾性力を備えた金属材又は合成樹脂材により形成され、円筒部材２９の内周面を環状に覆うことができるように湾曲させた略リング状であり、円筒部材２９の開口部３２の内周面に沿って略同一間隔毎に形成された複数個のリブ３３に係止することで、周方向に移動しないように保持させている。
【００４０】
前記操作ボタン４９は、図１２及び図１４に示すように、略半球形状の頭部５０と、該頭部５０と一体で略長方形状に形成された係止部５１と、頭部５０の軸線と同軸方向に形成された凸部５２とから構成されている。該凸部５２には、頭部５０と係止部５１とを結ぶ軸線に対し垂直方向に挿通孔５３が形成され、該挿通孔５３は保持筒３４の係止片３５を挿通可能な大きさである。また、凸部５２の端面には受部５４が形成されており、該受部５４が円筒部材２９の開口部３２の内周で、板ばね４６の折曲部４７の反対側に形成された端部４８と当接して、板ばね４６の弾性力により外側へ向けて付勢されることにより、操作ボタン４９は円筒部材２９の側面に穿設された操作孔３０ａに開口部３２側から挿通して、その頭部５０が外側へ出没自在としたものである。
【００４１】
本実施形態において、シャワーヘッド２０ｂをホルダー１９ｂから引き出して使用する場合には、まず、図８の状態において、円筒部材２９から外側に突出している操作ボタン４９を押すと、図１２及び図１３に示す保持筒３４の係止突起３６と操作ボタン４９の凸部５２との係合状態が解除され、保持筒３４の係止片３５が操作ボタン４９の挿通孔５３を挿通可能な状態となる。
【００４２】
次に、この状態でシャワーヘッド２０ｂを握り、ホルダー１９ｂから引き出すと、通水管１２ｂ内の摺動部材２２ｂは、通水管１２ｂの内周面に沿って水密的に摺動しながら引き出され、図９に示すように、通水管１２ｂ内の摺動部材２２ｂが係止部材１２ｄの鍔部１２ｅに当接するまでの範囲で、シャワーヘッド２０ｂを引き出すことができる。
【００４３】
そして、シャワーヘッド２０ｂを握りさらに引き出すと、図１０に示すように、シャワーヘッド２０ｂは支持部材３７の内部を摺動部材２２ｂが水密的にスライドしながら引き出され、摺動部材２２ｂがスライド管３９の端部に螺合されている第２係止部材４０に当接するまでの範囲で、シャワーヘッド２０ｂを引き出すことができる。
【００４４】
さらにシャワーヘッド２０ｂをさらに引き出すと、図１１に示すように、シャワーヘッド２０ｂはスライド管３９に対し水密的に摺動しながら引き出され、スライド管３９の鍔部４１が、支持部材３７の端部に螺合されている第１係止部材３８に当接するまでの範囲で、シャワーヘッド２０ｂを引き出すことができる。
【００４５】
本実施例の混合水栓によると、前記実施形態と同様に、ホースはカウンターの下部で垂れ下がることがなく、ホルダーの内部に摺動自在に収納されている。ホースは通水管内及びスライド管内に摺動自在に収納しているので、シャワーヘッドをホルダーから引き出したり収納する際に、ホースがキャビネットの内部で揺れることがなく、また、ホースが揺れ、給湯管，給水管又は止水栓に当たり、異音が発生することがない。さらに、第２実施形態の混合水栓と比較して、シャワーヘッドのみを握ればホルダーから引き出すことができ、操作性を向上させることができる。そして、ホルダーに拘束部材を設けたので、シャワーヘッドの引き出しを制御することができる。
【００４６】
（第４実施形態）
次にこの発明の第４実施形態を図１５乃至図１８に基づいて説明する。本発明の第４実施形態では図１５に示すように、水栓本体１ｃとシャワー部５５とからなる混合水栓Ｄは、カウンター２の上面に固定されている。
【００４７】
前記シャワー部５５はカウンター２に固定される基台５６と、該基台５６にスライド自在に挿通される通水管１２ｃと、該通水管１２ｃの先端に結合されるホルダー１９ｃと、通水管１２ｃ内を上下に摺動するホース２１ｃと、ホルダー１９ｃに着脱自在に支持され、ホース２１ｃ及び連結管５７により前記水栓本体１ｃに装着された混合弁４ａと接続するシャワーヘッド２０ｃとを備え、前記水栓本体１ｃに設けられたレバー１４の操作で温度及び流量が調節された湯水は、連結管５７及びホース２１ｃを介してシャワーヘッド２０ｃへ供給され、該シャワーヘッド２０ｃから湯水は吐水されるものである。なお、水栓本体は本実施例で示したシングルレバー式に限らず、サーモスタット式あるいは２ハンドル式であってもよい。
【００４８】
図１６に示すように、前記基台５６は合成樹脂の成形によるもので、カウンター２の取付孔３を上下に挿通する略円筒状の固定部材５８と、該固定部材５８の内部に形成された開口孔５９の内周面に螺着されるガイド部材６０とを備えている。
【００４９】
前記固定部材５８は外周面全周に雄ねじ部６１が形成され、この雄ねじ部６１にカウンター２の上下からカバー６２及び固定ナット６３を夫々螺着することで、カウンター２に固定される。
【００５０】
前記ガイド部材６０は、内部に前記通水管１２ｃを上下スライド自在に挿通する挿孔６４が穿設され、この挿孔６４の下端には、周方向へ弾性変形可能な複数個のストッパー６５が、内周方向へ突出して爪状に形成されている。
【００５１】
前記通水管１２ｃは下端部外周面に雄ねじ部６６が形成され、前記連結管５７は先端に形成された鍔部５７ａとシール部材６７とを、雄ねじ部６６と該雄ねじ部６６に螺着されるナット６８との間で挟着することで通水管１２ｃに結合される。雄ねじ部６６の上部には環状の凹溝６９が形成され、通水管１２ｃの上下スライド時にガイド部材６０のストッパー６５は凹溝６９に嵌合して、通水管１２ｃはガイド部材６０から落下しないように保持される。通水管１２ｃの上端外周には雄ねじ部６６ａが形成され、該雄ねじ部６６ａにホルダー１９ｃが結合され、該ホルダー１９ｃは合成樹脂の一体成型によるもので、傾斜方向に湾曲した先端に、シャワ−ヘッド２０ｃを引き出し自在に支持している。通水管１２ｃの内部には前記連結管５７の流路と連通して湯水が通過する流路１３ａが形成され、通水管１２ｃの上端内周面には、流路１３ａを小径とする上側鍔部１７ｂが形成されている。
【００５２】
前記ホース２１ｃはその基端に該ホース２１ｃより大径に形成された摺動部材２２ｃが結合されている。該摺動部材２２ｃの外周面には環状溝２３ｃが形成され、該環状溝２３ｃには通水管１２ｃの内周面に水密的に密着するシール部材２４ｃが装着されている。
【００５３】
したがって、図１５に示すようにシャワーヘッド２０ｃがホルダー１９ｃに支持された状態では、ホース２１ｃの基端に結合された摺動部材２２ｃは、通水管１２ｃの内部で連結管５７の鍔部５７ａに当接している。
【００５４】
そして、シャワーヘッド２０ｃをホルダー１９ｃから引き出すと、ホース２１ｃは通水管１２ｃの内部を摺動しながら上昇し、図１７に示すように摺動部材２２ｃが上側鍔部１７ｂに当接したところで停止し、ホース２１ｃの摺動部材２２ｃが連結管５７の鍔部５７ａと上側鍔部１７ｂとの間を移動する範囲で、シャワーヘッド２０ｃをホルダー１９ｃから引き出すことができる。
【００５５】
次に例えば洗髪等を行うため、シャワーヘッド２０ｃを支持しているホルダー１９ｃを通水管１２ｃと共に上方向へスライドさせると、図１８に示すようにガイド部材６０のストッパー６５が通水管１２ｃの凹溝６９に嵌合して、安定的に保持される。
【００５６】
本実施例の混合水栓であっても、前記実施形態と同様に、ホースはカウンターの下部で垂れ下がることがなく、通水管内部に摺動自在に収容されている。そして、シャワーヘッドをホルダーから引き出すと、ホースは通水管の内部を摺動する。従って、シャワーヘッドをホルダーから引き出したり収容する際に、ホースがカウンターの下部で揺れることがなく、また、ホースの揺れによりホースが配管又は止水栓に当たり、異音が発生することがない。そして、通水管は水栓本体の下部に配設されるので、キャビネットの底面に当たらない範囲の長さで形成され、ホースを十分な長さで引き出して使用することができる。
【００５７】
【発明の効果】
本発明によると、シャワーヘッドをホルダーから引き出すと、ホースは通水管の内部を摺動するため、カウンターの下部で垂れ下がることがない。従って、シャワーヘッドをホルダーから引き出したり収納する際に、ホースがキャビネットの内部で揺れることがなく、また、ホースが揺れ、給湯管，給水管又は止水栓に当たり、異音が発生することがない。さらに、ホースに付着した水のキャビネット内部への水垂れを防止できる。そして、ホースをホルダーから十分な長さで引き出して使用することができる。
【００５８】
また、ホ−スは摺動部材が通水管内の内周面に沿ってスムーズに摺動させることができる。
【００５９】
さらに、混合水栓はコンパクトでありながら、シャワーヘッドを十分な長さで引き出して使用することができる。
【図面の簡単な説明】
【図１】第１実施形態の混合水栓の斜視図である。
【図２】図１の混合水栓の縦断面図である。
【図３】図２の混合水栓のシャワーヘッドをホルダーから引き出した状態の説明図である。
【図４】第２実施形態の混合水栓の縦断面図である。
【図５】図４の要部を拡大した説明図である。
【図６】図４の混合水栓の通水管をホルダーから引き出した状態の説明図である。
【図７】図６の混合水栓のシャワーヘッドを通水管から引き出した状態の説明図である。
【図８】第３実施形態の混合水栓の説明図である。
【図９】図８の混合水栓において、シャワーヘッドを引き出した状態の説明図である。
【図１０】図９の混合水栓において、シャワーヘッドをさらに引き出した状態の説明図である。
【図１１】図１０の混合水栓において、シャワーヘッドをさらに引き出した状態の説明図である。
【図１２】ホルダー内に収容された拘束部材の構成を示す説明図である。
【図１３】シャワーヘッド内に収容されたスライド管及びホースの構成を示す説明図である。
【図１４】支持筒と操作ボタンの関係を示す説明図である。
【図１５】第４実施形態の混合水栓の説明図である。
【図１６】図１５の混合水栓において、シャワー部の拡大説明図である。
【図１７】図１５の混合水栓のシャワーヘッドをホルダーから引き出した状態の説明図である。
【図１８】図１７の混合水栓のホルダーを上昇させた状態の説明図である。
【符号の説明】
１，１ａ，１ｂ，１ｃ            水栓本体
２                              カウンター
１２，１２ａ，１２ｂ，１２ｃ    通水管
１９，１９ａ，１９ｂ，１９ｃ    ホルダー
２０，２０ａ，２０ｂ，２０ｃ    シャワーヘッド
２１，２１ａ，２１ｂ，２１ｃ    ホース
２２，２２ａ，２２ｂ，２２ｃ    摺動部材
３９                            スライド管
５５                            シャワー部
５６                            基台
５７                            連結管
Ａ，Ｂ，Ｃ，Ｄ                  混合水栓
【図１】
2004225524.tif 000003
【図２】
2004225524.tif 000004
【図３】
2004225524.tif 000005
【図４】
2004225524.tif 000006
【図５】
2004225524.tif 000007
【図６】
2004225524.tif 000008
【図７】
2004225524.tif 000009
【図８】
2004225524.tif 000010
【図９】
2004225524.tif 000011
【図１０】
2004225524.tif 000012
【図１１】
2004225524.tif 000013
【図１２】
2004225524.tif 000014
【図１３】
2004225524.tif 000015
【図１４】
2004225524.tif 000016
【図１５】
2004225524.tif 000017
【図１６】
2004225524.tif 000018
【図１７】
2004225524.tif 000019
【図１８】
2004225524.tif 000020